(57)【要約】      （修正有）【課題】営業中の食品スーパーやコンビニ店において、オープンタイプのショーケースの節電効果を上げることができるようにしたショーケース用カバーシート装置を提供する。【解決手段】透視性のあるシート材料でショーケース１の開口部２を覆うことができる大きさのカバーシート体３を形成する。このカバーシート体３の両端には、枠片４、５が固定され、この枠片には磁石１１が設けられている。磁石の一方は、一方の枠片の表面側に固定され、他方の磁石は他方の枠片の裏面側に固定されている。このカバーシート体３には、対向する枠片に向かって複数の切れ目が設けられている。カバーシート体は複数のシート小片に分割され、切れ目を通して手を差込むことができる。【選択図】図３
0003174637.tif 000002
【実用新案登録請求の範囲】
【請求項１】
ショーケースの開口部を覆う大きさのカバーシート体と、該カバーシート体の両端に設けられた枠片を具備し、該枠片間のカバーシート体に、対向する枠片に向かって複数の切れ目を形成し、該カバーシート体を伸張状態で張設するよう枠片をショーケースに磁着するための磁石をそれぞれの枠片に設けたショーケース用カバーシート装置。
【請求項２】
上記枠片にそれぞれ設ける磁石は、一方の磁石は枠片の表面側に固定され、他方の磁石は枠片の裏面側に固定されている請求項１に記載のショーケース用カバーシート装置。
【請求項３】
上記磁石は、弾性材料で構成した箱状の基台内に嵌め込まれ、基台の起立壁の先端より下がった位置で枠片に固定されている請求項１または２に記載のショーケース用カバーシート装置。
【請求項４】
上記カバーシート体は透視性を有するプラスチックシート材料で構成されている請求項１から３のいずれかに記載のショーケース用カバーシート装置。
【考案の詳細な説明】
【技術分野】
【０００１】
本考案は、ショーケースの開口部を覆うショーケース用カバーシート装置に関するものである。
【背景技術】
【０００２】
食品スーパーやコンビニ店では商品を冷却しておくためのクローズドタイプショーケースやオープンタイプショーケースが使用され、オープンタイプショーケースでは冷却効果を上げるため夜間等不使用時にショーケースの開口部を覆うナイトカバーが使用されている（例えば特許文献１参照）。このナイトカバーは一枚のシート材料で構成され、店舗の営業中は開口部を開放できるよう巻き上げ可能に構成されているので、オープンタイプのショーケースでは営業中に冷気が開口部から流れ出したり、熱気が進入してしまい、無駄なエネルギーを消費している。一般に、食品スーパー等では、日中の９時から２０時は電力消費が高く、特に１４時前後にピークとなり、この間の電力使用を見直すことが節電対策として非常に効果的であることが知られている。透明のガラス板や扉で開口部を開閉する形式のクローズドタイプのショーケースでは、営業中の冷気の流出は防止されるが、開口部が開いたままの通常のオープンタイプのショーケースでは、営業中の節電対策が殆どなされていないのが、現状である。
【０００３】
一般に、切れ目を有する透明のシートを使用したカーテンが知られており、このシートを開口部に垂下しておけば、切れ目を通して内外に行き来できるから、このような切れ目のあるシートでショーケースの開口部を覆って商品を取り出し可能にすることも考えられる。しかし、単なる切れ目を設けたシートだと、下端が自由端になっているので、シートが絡んだり、シートの下方部分がヒラついたりして、体裁がよくない。特に冷気はショーケース内の下方部分に溜りやすいから、シートの下方部分（裾）がヒラついたり、動揺したりして開口部の下方部分が開放されると、ショーケース内の冷気が一層流出しやすくなり、節電効果を上げることができない。また、従業員による商品の品出しやケース内の掃除の際、開口部にシートが垂下したままだと、邪魔になり、作業が面倒である。
【先行技術文献】
【特許文献】
【０００４】
【特許文献１】実用新案登録第３１０２２２２号公報（図１１）
【考案の概要】
【考案が解決しようとする課題】
【０００５】
本考案の解決課題は、オープンタイプのショーケースにおいて、営業中に開口部から冷気が極力流出しないようにしつつ商品は簡単に取り出すことができるようにしたショーケース用のカバーシート装置を提供することである。
【課題を解決するための手段】
【０００６】
本考案によれば、ショーケースの開口部を覆う大きさのカバーシート体と、該カバーシート体の両端に設けられた枠片を具備し、該枠片間のカバーシート体に、対向する枠片に向かって複数の切れ目を形成し、該カバーシート体を伸張状態で張設するよう枠片をショーケースに磁着するための磁石をそれぞれの枠片に設けたショーケース用カバーシート装置が提供され、上記課題が解決される。
【０００７】
また、本考案によれば、上記枠片にそれぞれ設ける磁石は、一方の磁石は枠片の表面側に固定され、他方の磁石は枠片の裏面側に固定されている上記ショーケース用カバーシート装置が提供される。
【考案の効果】
【０００８】
本考案は、上記のように構成され、ショーケースの開口部を覆う大きさのカバーシート体と、該カバーシート体の両端に設けられた枠片を具備し、該枠片間のカバーシート体に、対向する枠片に向かって複数の切れ目を形成し、該カバーシート体を伸張状態で張設するよう枠片をショーケースに磁着するための磁石をそれぞれの枠片に設けたから、該枠片をショーケースの開口部の例えば上辺に固定し、カバーシート体を引っ張りながら他方の枠片をショーケースの下辺に固定すれば、この状態でカバーシート体の切れ目から手を差込んでショーケース内の商品を取り出すことができると共に開口部をカバーシート体で覆って冷気が流出したり、熱気が流入しないようにでき、高い消エネ効果を見込むことができる。この際、カバーシート体は両端がショーケースに固着した枠片で伸張状態に保持されているので、シート体の裾部等がヒラついたり、絡んだり、まくれ上がることがなく、ショーケースの下方部分からの冷気の流出を確実に防いで節電効果を上げることができる。そして、開口部を覆うことにより、ショーケース内の温度が維持され、商品の品質の劣化を防ぎ、かつ商品にほこりが付着しないようにすることができる。
【０００９】
さらに、上記枠片に設ける磁石のうち一方の磁石をカバーシート体の表面側に設け、他方の磁石を裏面側に設けておくと、商品の品出しや掃除の際、下方の枠片をショーケースの下辺から外して上辺に固定すれば、カバーシート体をからませたりすることなく、簡単に折り返し状態で保持して作業をすることができ、作業性がよい。
【図面の簡単な説明】
【００１０】
【図１】本考案のカバーシート体の一実施例を示す正面図。
【図２】磁石を取り付けた枠片の一部の拡大斜視図。
【図３】カバーシート体をショーケースに取り付けた状態の説明図。
【考案を実施するための形態】
【００１１】
図１〜図３を参照し、本考案のカバーシート装置は、オープンタイプの各種ショーケースに使用することができる。実施例においては、前面に開口部２を有する縦型のショーケース１が示され、該ショーケース１の開口部２を覆うことができるよう該開口部２の上下間隔より大きい長さのカバーシート体３が設けられている。この際、図３に示すように、開口部の横幅の大きさにあわせて、複数枚のカバーシート体を用意し、それらを適宜組み合わせて開口部を覆うようにしてもよい。このカバーシート体３の上下の両端には、カバーシート体３を保持する枠片４、５が設けられている。図に示す実施例では、カバーシート体３の端部を心材（図示略）の回りに巻回し、シート体を巻きつけた心材を枠片４、５に差し込んで固定してある。該枠片は、図２に示すように、端板６の両端に表面板７を形成し、該表面板７間の内方に隔板８を設け、表面板の他端側にシート体３が通過できる幅のスリットを設けた断面略コ字状のフレームに形成され、この枠片内にシート端を差込んで固定してあるが、その他種々の構成によりシート体を枠片に固定することができる。
【００１２】
上記カバーシート体３としては、ショーケースの開口部２を外部から透視することができるよう透明、半透明、有色透明等の透視性のある適宜厚さのプラスチックシート材料を好適に使用することができる。このカバーシート体３には、対向する枠片４、５に向かって複数の切れ目９が平行状態に設けられ、全体が複数のシート小片１０に分割され、この切れ目９から手を挿通することができるようにしてある。この切れ目の間隔は、約６０〜９０ｍｍ、好ましくは約７５ｍｍピッチの間隔で設けてあるが、用途に応じて適宜の間隔にすることができる。
【００１３】
上記枠片４、５には、カバーシート体３を伸張状態で張設することができるよう枠片をショーケースの縁部等に磁着するための磁石１１をそれぞれ設けてある。図に示す実施例では、一方の磁石１１は枠片４の裏面側の表面板に固定され、他方の磁石１１は枠片５の表面側の表面板に固定されている。所望により磁石１１を枠片４、５の同一面側に設けることもできる。また、この磁石１１の取付けは、図２に示すように、シリコン樹脂等の弾性材料で周囲が起立壁１２で囲まれた凹み１３を有する略箱状の基台１４を形成し、この基台１４の凹み１３に磁石１１を嵌め込んで基台１４と一緒に枠片４、５に止着具１５で固定してある。この際、磁石１１の表面は基台１４の起立壁１２の先端より少し下がって位置するように設けてあり、ショーケース１に固定した際、該起立壁１２の先端が少し弾性変形した状態で枠片に磁着するようにしてある。
【００１４】
このカバーシート装置を使用するには、図３に示すように、ショーケース１の開口部２の上辺に一方の枠片４を固定し、カバーシート体３を広げながら下方の枠片５をショーケースの下辺に固定すればよい。このようにすれば、開口部２内の商品を外部から見ることができ、切れ目９から手を差し込んで商品を取り出すことができると共にショーケースの開口部２を塞いで冷気の流出を防止することができる。この際、冷気が溜りやすい開口部の下方部分までカバー−シート体で覆った状態でショーケースに枠片５を固定してあるので、切れ目９から手を差込んだときや周囲を流れる風等によってカバーシート体が動揺するようなことがあってもカバーシート体の下方部分がショーケースから離れたり、浮き上がったりすることがなく、冷気の流出を確実に防いで節電効果を上げることができる。また、開口部を塞ぐことにより、商品の品質の維持を図り、汚染物質やほこりの付着を防止することもできる。
【００１５】
商品の品出しをする際やショーケース内を掃除するときには、上下の枠片をショーケース１から外してカバーシート体３を取り去って隣りのショーケースに固着しておくこともできるが、節電効果を考慮すると、完全に撤去しないほうがよい。この際、実施例に示すように、二つの枠片４、５に取り付ける磁石１１を、枠体の表裏に分けて固定しておくと、図３に示すように、下方の枠片５を外して上方に持ち上げれば、カバーシート体３が捩れたり、シート小片１０が絡むことなくカバーシート体を整然と引き上げることができ、ショーケース１の上辺にそのまま固定することができ、著しく作業性がよい。
【００１６】
なお、弾性材料で略箱状に形成した基台１４内に、基台の起立壁１２より少し下がった状態で磁石１１を嵌め込んで枠片に固定してあるので、枠片をショーケースに固定したとき、基台の起立壁１２が少し弾性変形し、磁石１１の滑りを防止して枠片４、５を確実にショーケースに固定できるとともにショーケースに損傷を与えるおそれもない。
【符号の説明】
【００１７】
１    ショーケース
２    開口部
３    カバーシート体
４、５  枠片
９    切れ目
１０  シート小片
１１  磁石
１４  基台
【図１】
0003174637.tif 000003
【図２】
0003174637.tif 000004
【図３】
0003174637.tif 000005